(57)【要約】      （修正有）【課題】  漂白洗浄力が増強された漂白洗浄剤組成物の提供。【解決手段】  （ａ）界面活性剤から選ばれる１種以上の化合物、（ｂ）水溶液中で過酸化水素を放出する化合物から選ばれる１種以上の化合物、（ｃ）一般式（１）及び一般式（２）で表される化合物から選ばれる１種以上の化合物、並びに（ｄ）シクロデキストリン及びその誘導体から選ばれる１種以上の化合物を含有する漂白洗浄剤組成物。（ｃ）及び（ｂ）成分は包接体を形成していることが好ましい。2004211075.tif 000007（式中、Ｒ1及びＲ2はＣ７〜１８のアルキル基又はアルケニル基、ＭはＨ又は水溶性塩を形成する陽イオンを示す。）【選択図】  なし【特許請求の範囲】
【請求項１】
（ａ）界面活性剤から選ばれる１種以上の化合物、（ｂ）水溶液中で過酸化水素を放出する化合物から選ばれる１種以上の化合物、（ｃ）一般式（１）及び一般式（２）で表される化合物から選ばれる１種以上の化合物、並びに（ｄ）シクロデキストリン及びその誘導体から選ばれる１種以上の化合物を含有する漂白洗浄剤組成物。
【化１】
2004211075.tif 000006
〔式中、Ｒ１は炭素数７〜１８のアルキル基又はアルケニル基、Ｒ２は炭素数７〜１８のアルキル基又はアルケニル基、Ｍは水素原子又は水溶性塩を形成する陽イオンを示す。〕
【請求項２】
（ａ）成分として非イオン界面活性剤を含有する請求項１記載の漂白洗浄剤組成物。
【請求項３】
（ｃ）成分と（ｄ）成分が、（ｃ）成分と（ｄ）成分を含む混合物からなる粒子形態である請求項１又は２記載の漂白洗浄剤組成物。
【請求項４】
（ｃ）成分と（ｄ）成分が、（ｄ）成分が（ｃ）成分の一部又は全部を包接した包接体である請求項１〜３の何れかに記載の漂白洗浄剤組成物。
【請求項５】
（ｃ）成分と（ｄ）成分の質量比が１／１〜１／２０である請求項１〜４の何れかに記載の漂白洗浄剤組成物。
【請求項６】
請求項１〜５の何れかに記載の漂白洗浄剤組成物の製造方法であり、（ｃ）成分と（ｄ）成分を混合し、（ｄ）成分が（ｃ）成分の一部又は全部を包接した包接体を得た後、包接体と（ａ）成分及び（ｂ）成分と混合する漂白洗浄剤組成物の製造方法。
【請求項７】
（ａ）界面活性剤から選ばれる１種以上の化合物、（ｂ）水溶液中で過酸化水素を放出する化合物から選ばれる１種以上の化合物、（ｃ）一般式（１）及び一般式（２）で表される化合物から選ばれる１種以上の化合物を含有する洗浄剤組成物を用いた水系洗浄において、（ｄ）シクロデキストリン及びその誘導体から選ばれる１種以上の化合物を漂白洗浄力増強剤として使用する洗浄方法。
【請求項８】
（ａ）界面活性剤から選ばれる１種以上の化合物、（ｂ）水溶液中で過酸化水素を放出する化合物から選ばれる１種以上の化合物を含有する洗浄剤組成物を用いた水系洗浄において、（ｃ）一般式（１）及び一般式（２）で表される化合物から選ばれる１種以上の化合物の（ｄ）シクロデキストリン及びその誘導体から選ばれる１種以上の化合物による包接体を漂白洗浄力増強剤として使用する洗浄方法。
【発明の詳細な説明】
【技術分野】
【０００１】
本発明は、特に繊維製品に好適な漂白洗浄剤組成物、製造方法、及び洗浄方法に関する。
【背景技術】
【０００２】
洗剤組成物は、消費者の利便性や環境への配慮より、高密度化や低使用量化が強く指向されている。また、「洗濯を簡単に済ませてしまいたい」、「衣類を大切に洗いたい」という消費者ニーズ、環境・エネルギーや経済性への対応から、節水、低温洗濯、洗濯時間の短縮への潮流がある。
【０００３】
生活環境の変化の中、日常生活において衣類等に付着する汚れも多様化しており、通常の洗剤による洗濯だけでは、血液汚れ、食べ物汚れ、植物の色素汚れといったいわゆるシミ汚れや、親油性汚れに対する洗浄力が十分とは言えない。また、特に衿、袖口汚れは通常の洗濯では完全に除去することができず、このような残留皮脂は保存時の衣類の黄ばみの原因となる。
【０００４】
漂白剤はこれらのシミ汚れ等に非常に有効であるため、洗剤に漂白成分を配合することが行われている。漂白成分は酸素系と塩素系に大別される。塩素系のものとしては次亜塩素酸やジクロロシアヌル酸等が挙げられる。これらは安定性、匂い等に問題があり、また洗剤配合に適さないうえ、その強い漂白力のために衣類の色物や柄物への使用については神経質にならざるを得ない。酸素系漂白剤は塩素系漂白剤に比べ常温で漂白力はやや落ちるものの、衣類の色物や柄物に適用しても色落ちが無いこと、生地を損なうことがないこと及び黄変することがないこと等から洗浄剤に広く用いられている。また、漂白性能向上のため、有機過酸前駆体等を併用することも行われている。
【０００５】
洗剤ベースとして使用される非イオン性界面活性剤は、耐硬水性が良好であるうえ、皮脂汚れ等の油性汚れの洗浄力が際立っており、且つ生分解性が非常に良好である等の特徴を有しており、非イオン性界面活性剤を含有する洗剤の技術開発が活発に行われている。
【０００６】
しかしながら、非イオン界面活性剤を含有する洗剤と有機過酸前駆体を併用した漂白系では、有機過酸前駆体が非イオン界面活性剤と親和性が高く、非イオン界面活性剤のミセル中に強く取り込まれ、ミセルの外に出にくくなるため、過酸の発生量が減少し、漂白力が大幅に低下するといった問題がある。このため、非イオン界面活性剤と有機過酸前駆体を含有する洗剤の漂白洗浄力を改善する検討がなされてきた。例えば、金属イオン封鎖剤含有による漂白力の改善（例えば、特許文献１、２、３参照。）が知られているが、有機過酸前駆体が非イオン界面活性剤のミセル中に取り込まれることにより漂白力が低下するという現象を解決したものではない。
【０００７】
また、洗浄剤組成物の一成分としてシクロデキストリンを使用することは知られているが、従来は、皮膚刺激抑制のため（例えば、特許文献４参照。）、染色繊維製品から他の繊維製品への染料の移行抑制のため（例えば、特許文献５参照。）、消臭効果のため（例えば、特許文献６、７、８参照。）に配合されているものだけである。
【特許文献１】特開平９−３４９７号公報
【特許文献２】特開平１０−３１６９９６号公報
【特許文献３】特開平１１−３５９７８号公報
【特許文献４】特開平３−１７２３９７号公報
【特許文献５】特表２００１−５２３３１０号公報
【特許文献６】特開２０００−２９０６９０号公報
【特許文献７】特開２０００−２９０７００号公報
【特許文献８】特開２００２−８８３９６号公報
【発明の開示】
【発明が解決しようとする課題】
【０００８】
本発明の課題は、特に繊維製品の漂白洗浄力に優れた漂白洗浄剤組成物、及び前記漂白洗浄剤組成物の製造法として適した製造方法を提供することにある。更に詳しくは、有機過酸前駆体から効率よく過酸発生量を増加させることにより、漂白洗浄力を増強した漂白洗浄剤組成物、前記漂白洗浄剤組成物の製造法として適した製造方法、及び洗浄方法を提供することにある。
【課題を解決するための手段】
【０００９】
本発明は、課題の解決手段として、（ａ）界面活性剤から選ばれる１種以上の化合物、（ｂ）水溶液中で過酸化水素を放出する化合物から選ばれる１種以上の化合物、（ｃ）一般式（１）及び一般式（２）で表される化合物から選ばれる１種以上の化合物、並びに（ｄ）シクロデキストリン及びその誘導体から選ばれる１種以上の化合物を含有する漂白洗浄剤組成物を提供するものである。
【００１０】
【化２】
2004211075.tif 000002
【００１１】
〔式中、Ｒ１は炭素数７〜１８のアルキル基又はアルケニル基、Ｒ２は炭素数７〜１８のアルキル基又はアルケニル基、Ｍは水素原子又は水溶性塩を形成する陽イオンを示す。〕
更に本発明は、他の課題の解決手段として、上記の漂白洗浄剤組成物の製造方法であり、（ｃ）成分と（ｄ）成分を混合し、（ｄ）成分が（ｃ）成分を包接した包接体を得た後、包接体と（ａ）成分及び（ｂ）成分と混合する漂白洗浄剤組成物の製造方法を提供するものである。
【００１２】
更に本発明は、他の課題の解決手段として、
（ａ）成分、（ｂ）成分、（ｃ）成分を含有する洗浄剤組成物を用いた水系洗浄において、（ｄ）成分を漂白洗浄力増強剤として使用する洗浄方法、
又は（ａ）成分、（ｂ）成分を含有する洗浄剤組成物を用いた水系洗浄において、（ｃ）成分の（ｄ）成分による包接体を漂白洗浄力増強剤として使用する洗浄方法を提供するものである。
【発明の効果】
【００１３】
本発明の組成物は漂白洗浄力が優れており、特に（ｃ）成分と（ｄ）成分との包接体を含有させた場合に優れた漂白洗浄力が発揮される。
【発明を実施するための最良の形態】
【００１４】
＜（ａ）成分＞
本発明の組成物は、（ａ）成分として、界面活性剤から選ばれる１種以上の化合物を含有する。（ａ）成分としては、陰イオン界面活性剤、非イオン界面活性剤、両性界面活性剤、陽イオン界面活性剤等が挙げられる。
【００１５】
陰イオン界面活性剤としては、高級アルコールの硫酸エステル塩、高級アルコールのエトキシル化物の硫酸エステル塩、アルキルベンゼンスルホン酸塩、パラフィンスルホン酸塩、α−オレフィンスルホン酸塩、α−スルホ脂肪酸塩若しくはそのエステル塩、又は脂肪酸塩が挙げられる。特に、アルキル鎖の炭素数が１０〜１８（好ましくは１２〜１４）の直鎖アルキルベンゼンスルホン酸塩、炭素数が１０〜２０のα−スルホ脂肪酸アルキルエステル塩が好ましい。また、対イオンとしては、アルカリ金属、アルカリ土類金属、アンモニウム、アルカノールアミン等が挙げられる。溶解速度調整の観点から、カリウムイオンを併用することも好ましい。全対イオン中、カリウムイオンは５質量％以上が好ましく、２０質量％以上がより好ましく、４０質量％以上が更に好ましい。 
【００１６】
非イオン界面活性剤としては、高級アルコールのエチレンオキシド（以下「ＥＯ」という）付加物、若しくはＥＯ／プロピレンオキシド（以下「ＰＯ」という）付加物、脂肪酸アルカノールアミド、アルキル（ポリ）グリコシド等が挙げられる。特に炭素数が１０〜１６のアルコールのＥＯ平均１〜１０モル付加物が皮脂汚れの除去、耐硬水性、生分解性の点で好ましい。
【００１７】
陽イオン界面活性剤としては、アルキルトリメチルアンモニウム塩等が挙げられ、両性界面活性剤としては、カルボベタイン型、スルホベタイン型両性活性剤等が挙げられる。
【００１８】
本発明の組成物は、洗浄性能の点で（ａ）成分として非イオン界面活性剤を含有することが好ましく、（ａ）成分中の非イオン界面活性剤は１０質量％以上が好ましく、３０質量％以上がより好ましく、５０質量％以上が更に好ましい。
【００１９】
本発明の組成物は、多種な汚れに対する洗浄性能の点で非イオン界面活性剤と共に陰イオン界面活性剤を用いることが好ましく、非イオン界面活性剤と陰イオン界面活性剤との質量比は１／９〜９／１が好ましく、３／７〜９／１がより好ましく、５／５〜９／１が更に好ましい。
【００２０】
本発明の組成物中における（ａ）成分の含有量は、洗浄性能、溶解性の点で、５〜５０質量％が好ましく、１０〜４５質量％がより好ましく、１５〜４０質量％が更に好ましく、２０〜３５質量％が特に好まし。
【００２１】
＜（ｂ）成分＞
本発明の組成物は、（ｂ）成分として、水溶液中で過酸化水素を放出する化合物から選ばれる１種以上の化合物を含有する。
【００２２】
（ｂ）成分としては、炭酸塩・過酸化水素付加物、硼酸塩・過酸化水素付加物、トリポリリン酸塩・過酸化水素付加物、ピロリン酸塩・過酸化水素付加物、尿素・過酸化水素付加物等が挙げられる。これらの中でも、炭酸塩・過酸化水素付加物、硼酸塩・過酸化水素付加物が好ましく、炭酸ナトリウム・過酸化水素付加物、硼酸ナトリウム・過酸化水素付加物がより好ましい。 
【００２３】
（ｂ）成分は、貯蔵安定性の点で無機化合物や有機化合物等で被覆されていることが好ましい。無機化合物としては、炭酸ナトリウム、硫酸ナトリウム、硫酸マグネシウム、珪酸マグネシウム、塩化マグネシウム、酸化マグネシウム、珪酸ナトリウム等が挙げられ、有機化合物としては、ポリエチレングリコール、ポリビニルピロリドン、ヒドロキシプロピルセルロース等が挙げられる。
【００２４】
被覆に用いる無機化合物や有機化合物の量は、（ｂ）成分を含む粒子として用いる場合、粒子中において５〜２０質量％であることが、安定性、溶解性の点で好ましい。なお、従来より知られている安定化剤、溶解促進剤、キレート剤等を前記粒子に含有させても良い。これらの安定化剤等の中でも、塩化物、尿素、陰イオン界面活性剤、非イオン界面活性剤が、溶解性の点で好ましく、それらの含有量は、それぞれ、前記粒子中０．１〜５質量％が好ましい。
【００２５】
（ｂ）成分として、無機や有機化合物等で被覆したものを用いる場合、例えば特開昭５９−１９６３９９号公報の実施例等に記載の方法を適用して製造できる。
【００２６】
本発明の組成物中における（ｂ）成分の含有量は、洗浄性能の点で、０．１〜２０質量％が好ましく、０．５〜１０質量％がより好ましく、１〜８質量％が更に好ましく、２〜７質量％が特に好ましい。
【００２７】
＜（ｃ）成分＞
本発明の組成物は、（ｃ）成分として、上記した一般式（１）及び一般式（２）で表される化合物から選ばれる１種以上の化合物を含有する。
【００２８】
一般式（１）及び一般式（２）で表される化合物の内、洗浄性能の点で、一般式（１）中のＲ１が炭素数１０〜１３のアルキル基である化合物、及び一般式（２）中のＲ２が炭素数７〜１１のアルキル基である化合物が好ましい。
【００２９】
また、水溶性塩を形成する陽イオンとして、アルカリ金属イオン、アルカリ土類金属イオン、アンモニウム塩、アルカノールアミン塩等が挙げられ、中でもナトリウムイオン、カリウムイオンが好ましく、特にナトリウムイオンが好ましい。
【００３０】
本発明の組成物では、洗浄性能の点で、（ｃ）成分として一般式（１）で表される化合物から選ばれる１種以上の化合物を含有することが好ましい。
【００３１】
本発明の組成物では、（ｃ）成分は、安定性を高めるために（ｃ）成分を含む粒子形態にすることが好ましい。（ｃ）成分を含む粒子中の（ｃ）成分の量は、好ましくは１〜８０質量％、より好ましくは２０〜８０質量％、特に好ましくは３０〜７５質量％である。
【００３２】
（ｃ）成分を含む粒子には、（ｃ）成分の洗濯浴中での溶解性を改善するため、ポリオキシアルキレンアルキルエーテル、アルキル硫酸塩及びポリオキシアルキレンアルキルエーテル硫酸塩から選ばれる少なくとも１種の界面活性剤を、好ましくは５０質量％以下、より好ましくは１〜４５質量％、更に好ましくは２〜４０質量％配合することができる。
【００３３】
ポリオキシアルキレンアルキルエーテルとしては、エチレンオキシドとプロピレンオキシドがブロック状に付加したものが好ましく、エチレンオキシド平均付加モル数は３〜２０、特に４〜１５が好ましく、プロピレンオキシド平均付加モル数は１〜１０、特に２〜７が好ましい。アルキル基の炭素数は１０〜１８、特に１２〜１６が好ましい。
【００３４】
アルキル硫酸塩としては、炭素数１０〜１８で、ナトリウム塩が好ましく、特にラウリル硫酸ナトリウム又はミリスチル硫酸ナトリウムが好ましい。
【００３５】
ポリオキシアルキレンアルキルエーテル硫酸塩としては、アルキル基の炭素数が１０〜１８のポリオキシエチレンアルキルエーテル硫酸塩が好ましく、またナトリウム塩が好ましい。ここでポリオキシエチレン基の平均重合度（以下ＥＯｐ）は１〜１０、特に１〜５が好ましく、特にポリオキシエチレン（ＥＯｐ＝２〜５）ラウリルエーテル硫酸ナトリウム、ポリオキシエチレン（ＥＯｐ＝２〜５）ミリスチルエーテル硫酸ナトリウムが好ましい。
【００３６】
（ｃ）成分を含む粒子には、製剤化を容易にするための成分として、ポリオキシエチレン及び脂肪酸から選ばれるバインダーを配合しても良い。
【００３７】
ポリオキシエチレンとしては、平均分子量２０００〜２００００、更に４０００〜１００００、特に４０００〜８０００のものが良好である。脂肪酸としては炭素数８〜２０、更に１０〜１８、特に１２〜１８のものが好ましく、これらはナトリウム又はカリウム石鹸の状態であってもよい。バインダーは、（ｃ）成分を含む粒子中に、好ましくは０．５〜３０質量％、より好ましくは１〜２０質量％、更に好ましくは５〜２０質量％使用する。
【００３８】
本発明の組成物には、（ｃ）成分を含む粒子の安定性を向上させる目的で、所望により、更に酸性物質を配合してもよい。
【００３９】
酸性物質としては有機カルボン酸類が好ましく、特にコハク酸、マレイン酸、フマール酸、クエン酸、グリコール酸及びｐ−ヒドロキシ安息香酸から選ばれる少なくとも１種が好ましい。このような酸性物質の配合量は、（ｃ）成分を含む粒子中に、好ましくは２０質量％以下、より好ましくは１〜１５質量％、更に好ましくは１〜１０質量％である。
【００４０】
（ｃ）成分を含む粒子は、上記成分を所望の方法で混合した後、通常の造粒機により造粒して得ることができるが、特に（ｃ）成分と溶解性改善のための界面活性剤の一部又は全部を先に混合し、その後バインダー等を添加する方法が好ましい。バインダーは、予め４０〜１００℃、更に５０〜１００℃、特に５０〜９０℃で融解させて添加することが好ましい。
【００４１】
造粒法は押出造粒法が好ましく、平均粒径が５００μｍ〜５０００μｍ、特に５００〜３０００μｍの造粒物にすることが好ましい。その他、ブリケット機により錠剤形状にすることも好ましい造粒法として適用できる。
【００４２】
本発明の組成物中における（ｃ）成分の含有量は、、洗浄性能の点で、０．０５〜５質量％が好ましく、０．１〜３質量％がより好ましく、０．３〜２質量％が更に好ましく、０．５〜１．５質量％が特に好ましい。
【００４３】
＜（ｄ）成分＞
本発明の組成物は、シクロデキストリン及びその誘導体から選ばれる１種以上の化合物を含有する。本発明の組成物において、（ｄ）成分は、上記した（ａ）成分、（ｂ）成分及び（ｃ）成分と併用したときに漂白洗浄力の増強作用をなすような形態で使用することが望ましい。
【００４４】
シクロデキストリンとして、α−シクロデキストリン、β−シクロデキストリン、γ−シクロデキストリン、δ−シクロデキストリン、ε−シクロデキストリン、ζ−シクロデキストリン、η−シクロデキストリン、θ−シクロデキストリン等が挙げられ、これらの誘導体としては、ヒドロキシアルキル化シクロデキストリン類、アルキル化シクロデキストリン類、グリコシル化シクロデキストリン類、アミノ化シクロデキストリン類、カルボキシメチル化シクロデキストリン類等、グルコース残基の少なくともその一部をヒドロキシエチル、２−ヒドロキシプロピル、２、３−ジヒドロキシプロピル、２−ヒドロキシブチル、２−ヒドロキシイソブチル、ジエチルアミノエチル、トリメチルアンモニオプロピル等の親水性官能基にて化学修飾したシクロデキストリン誘導体、エピクロルヒドリンや多価グリシジルエーテル等の架橋剤にて高分子化したシクロデキストリン類ポリマー、グルコース、マルトース等の分岐側鎖を有する分岐シクロデキストリン類を挙げることができる。
【００４５】
シクロデキストリン及びその誘導体としては、（ｃ）成分を包接可能なものであることが望ましく、中でも、α−シクロデキストリン又はβ−シクロデキストリン及びその誘導体が好ましく、α−シクロデキストリン及びその誘導体がより好ましい。誘導体としては、シクロデキストリン類の水溶性を増加させたものが好ましい。
【００４６】
本発明の組成物中における（ｄ）成分の含有量は、洗浄性能の点で、１〜２５質量％が好ましく、２〜２０質量％がより好ましく、５〜２０質量％が更に好ましい。
【００４７】
本発明の組成物では、漂白洗浄力を増強させるため、（ｃ）及び（ｄ）成分は、（ｃ）及び（ｄ）成分を含む混合物からなる粒子形態であることが好ましい。この場合、（ｃ）成分の一部が（ｄ）成分に包接された包接体が含まれていても良い。このような粒子形態にすることにより、本発明の組成物を洗濯浴中に投入したとき、（ｃ）成分の（ｄ）成分による包接体が生成され易くなるので好ましい。
【００４８】
本発明の組成物では、漂白洗浄力をより増強させるため、（ｃ）成分と（ｄ）成分が、（ｄ）成分が（ｃ）成分の一部又は全部、好ましくは全部を包接した包接体であることが好ましい。（ｃ）成分の一部とは、（ｃ）成分の使用量中の一部の意味であり、これは（ｃ）成分の使用量中の一部のみを（ｄ）成分と混合して包接体を生成させた場合のほか、（ｃ）成分の使用量の全部と（ｄ）成分を混合したときに未包接物が残存する場合も含む。
【００４９】
このように、使用時において（ｃ）成分の（ｄ）成分による包接体が形成されたとき、又は予め組成物中に前記包接体が含まれているとき、（ａ）成分として非イオン界面活性剤を含んでいる場合、洗濯浴中において、非イオン界面活性剤のミセル中に（ｃ）成分の有機過酸前駆体が取り込まれることによる過酸生成阻害が抑制されるため、漂白洗浄力が増強されるものと思われる。また、生成した有機過酸が（ｃ）成分と反応することで、生成した有機過酸を漂白性能を発現する目的に効果的に使われなくなるが、（ｃ）成分と（ｄ）成分との包接体を形成させることで、生成した有機過酸と（ｃ）成分との反応を抑制できるので、漂白性能が増強されるものと思われる。
【００５０】
本発明の組成物では、洗浄性能の点で、（ｃ）成分と（ｄ）成分の質量比は、１／１〜１／２０が好ましく、１／２〜１／１５がより好ましく、１／４〜１／１０が更に好ましい。
【００５１】
また上記のとおり、使用時において（ｃ）成分の（ｄ）成分による包接体が形成されたとき、又は予め組成物中に前記包接体が含まれているときには、漂白洗浄力が増強されるため、（ｄ）成分又は（ｃ）成分の（ｄ）成分による包接体は、下記の洗浄方法にも適用できる。
【００５２】
１つの洗浄方法として、（ａ）成分、（ｂ）成分、（ｃ）成分を含有する洗浄剤組成物を用いた水系洗浄において、（ｄ）成分を漂白洗浄力増強剤として使用する洗浄方法に適用できる。
【００５３】
この洗浄方法では、（ａ）成分０．００３〜０．０３質量％、好ましくは０．００６〜０．０３質量％、（ｂ）成分０．０００１〜０．０２質量％、好ましくは０．０００５〜０．０１質量％、（ｃ）成分０．０００３〜０．０３質量％、好ましくは０．０００６〜０．０２質量％を含有する水系洗浄剤系に対して、（ｃ）成分と（ｄ）成分の比率（質量比）が上記した比率になるように（ｄ）成分を添加する。
【００５４】
他の洗浄方法として、（ａ）成分、（ｂ）成分を含有する洗浄剤組成物を用いた水系洗浄において、（ｃ）成分の（ｄ）成分による包接体を漂白洗浄力増強剤として使用する洗浄方法に適用できる。
【００５５】
この洗浄方法では、（ａ）成分０．００３〜０．０３質量％、好ましくは０．００６〜０．０３質量％、（ｂ）成分０．０００１〜０．０２質量％、好ましくは０．０００５〜０．０１質量％を含有する水系洗浄剤系に対して、（ｃ）成分の濃度が０．０００３〜０．０３質量％、好ましくは０．０００６〜０．０２質量％であり、（ｃ）成分と（ｄ）成分の比率（質量比）が上記した比率になるような包接体を添加する。
【００５６】
＜その他の成分＞
本発明の組成物は、ビルダー、その他の漂白活性化剤、再汚染防止剤（カルボキシメチルセルロース等）、柔軟化剤（ジアルキル型第四級アンモニウム塩、粘土鉱物等）、還元剤（亜硫酸塩等）、蛍光増白剤（ビフェニル型、アミノスチルベン型等）、泡コントロール剤（シリコーン等）、香料、酵素（プロテアーゼ、ペクチナーゼ、アミラーゼ、リパーゼ等）等の添加剤を含有させることができる。
【００５７】
本発明においてビルダーとは、そのもの自身では洗浄力がないか、またはあってもそれ程著しくないが、組成物に配合されると著しく洗浄性能を向上させるもので、多価金属陽イオンの捕捉作用、汚れ分散作用及びアルカリ緩衝作用の３つの作用中、少なくとも１つの作用をするものである。ビルダーとしては、水溶性無機化合物、水不溶性無機化合物、有機化合物等が挙げられる。
【００５８】
水溶性無機化合物としては、リン酸塩（トリポリリン酸塩、ピロリン酸塩、メタリン酸塩、リン酸三ナトリウム等）、ケイ酸塩、炭酸塩、硫酸塩等が挙げられる。これらの中でも３つの作用の全てをする点でリン酸塩が好ましい。
【００５９】
水不溶性無機化合物としては、アルミノケイ酸塩（Ａ型ゼオライト、Ｐ型ゼオライト、Ｘ型ゼオライト、非晶質アルミノケイ酸塩等）、結晶性ケイ酸塩等が挙げられる。これらの中でも粒子径３μｍ以下（より好ましくは１μｍ以下）のＡ型ゼオライトが好ましい。
【００６０】
有機化合物としては、カルボン酸塩（アミノカルボン酸塩、ヒドロキシアミノカルボン酸塩、ヒドロキシカルボン酸塩、シクロカルボン酸塩、マレイン酸誘導体、シュウ酸塩等）、有機カルボン酸（塩）ポリマー（アクリル酸重合体及び共重合体、多価カルボン酸重合体及び共重合体、グリオキシル酸重合体、多糖類及びこれらの塩等）等が挙げられる。これらの中でも有機カルボン酸（塩）ポリマーが好ましい。
【００６１】
前記ビルダーの塩において、対イオンとしては、アルカリ金属塩、アミン類が好ましく、特にナトリウム及び／又はカリウム、モノエタノールアミン、ジエタノールアミンが好ましい。
【００６２】
本発明の組成物において、ビルダーは単独で又は２種以上を併用することができる。特に、ビルダーとしては、前記水溶性無機化合物を含有することが好ましく、水溶性無機化合物及び有機化合物を併用することがより好ましく、水溶性無機化合物、有機化合物及び水不溶性無機化合物を併用することが更に好ましい。
【００６３】
本発明の組成物においては、洗浄性能の点で、ビルダーの合計含有量は、組成物中２０〜８０質量％が好ましく、３０〜７０質量％がより好ましく、３５〜６０質量％が更に好ましい。また、水溶性無機化合物ビルダーは、組成物中１０〜５０質量％が好ましく、１５〜４５質量％がより好ましく、２０〜４０質量％が更に好ましい。水不溶性無機化合物ビルダーは、組成物中５〜５０質量％が好ましく、１０〜４５質量％がより好ましく、１５〜４０質量％が更に好ましい。有機化合物ビルダーは、組成物中０．１〜２０質量％が好ましく、０．３〜１５質量％がより好ましく、０．５〜１０質量％が更に好ましい。
【００６４】
本発明の組成物では、洗浄性能の点で、特に多価金属陽イオンの捕捉作用のあるビルダーを含有させることが好ましい。多価金属陽イオンの捕捉作用のあるビルダーとして、カルシウム安定度定数が４〜１５（好ましくは５〜１４、より好ましくは６〜１３）である化合物を含有することが好ましい。多価金属陽イオンの捕捉作用のあるビルダーの組成物中の含有量は、０．１〜２０質量％が好ましく、０．５〜１５質量％がより好ましく、１〜１０質量％が更に好ましい。なお、本発明において、カルシウム安定度定数は次の方法で求められるものをいう。
【００６５】
（カルシウム安定度定数の測定方法）
緩衝液として０．１ｍｏｌ／リットルのＮＨ４Ｃｌ−ＮＨ４ＯＨ（ｐＨ１０）溶液を調製する。この緩衝液を用いて全ての試料溶液を調製する。Ｃａ２＋濃度の測定にはオリオン(株)製のイオンメーター９２０ＡとＣａ２＋イオン電極を用いる。先ず、塩化カルシウム濃度と電極の電位の関係を求め、検量線を作成する。塩化カルシウムの５．３６×１０−２ｍｏｌ／リットル溶液、キレート剤試料の５．３６×１０−４ｍｏｌ／リットル溶液を調製する。キレート剤試料溶液１００ｍｌに塩化カルシウム溶液を１ｍｌ加え、５分間撹拌する。残存しているＣａ２＋濃度を、Ｃａ２＋イオン電極を用いて測定する。キレート剤はＣａ２＋と１：１でキレート錯体を形成すると仮定して下記の式からカルシウム安定度定数（Ｃａ安定度定数）を求める。
【００６６】
【数１】
2004211075.tif 000003
【００６７】
その他の漂白活性化剤として、グルコースペンタアセテート、トリアセチン、Ｎ，Ｎ，Ｎ’，Ｎ’−テトラアセチルエチレンジアミン、テトラアセチルグリコリルウリル、及び下記一般式（３）、（４）記載の化合物等を含有することができる。
【００６８】
【化３】
2004211075.tif 000004
【００６９】
〔式中、Ｒ３、Ｒ４、Ｒ５、Ｒ６、Ｒ７、Ｒ９、Ｒ１０は、それぞれ独立して炭素数１〜５のアルキル基又はヒドロキシアルキル基であり、Ｒ８は炭素数２〜１０のアルキレン基であり、Ｘ−は陰イオンを示す。〕
＜漂白洗浄剤組成物＞
本発明の組成物は、洗浄性能、損傷性の点で、ＪＩＳ  Ｋ3362：1998記載の２０℃で測定する０．１質量％のｐＨが８〜１２であることが好ましく、９〜１１．５であることがより好ましく、９．５〜１１であることが更に好ましく、１０〜１１であることが特に好ましい。ｐＨは、ｐＨ調整剤により調整することが好ましく、水酸化ナトリウム、水酸化カリウム等のアルカリ金属水酸化物、炭酸ナトリウム、炭酸カリウム等のアルカリ金属炭酸塩、珪酸ナトリウム、珪酸カリウム等のアルカリ金属珪酸塩等を用いることができる。
【００７０】
本発明の組成物は、溶解性の点で、ＪＩＳ  Ｋ  3362：1998により規定された方法で測定する見掛け密度が1600ｇ/L以下であることが好ましく、1300ｇ/L以下であることがより好ましく、1000ｇ/L以下であることが更に好ましい。また、利便性や廃棄物（例えば箱等）低減の点で、見掛け密度は300ｇ/L以上であることが好ましく、600ｇ/L以上であることがより好ましく、700ｇ/L以上であることが更に好ましい。
【００７１】
本発明の組成物は、溶解性の点で、ＪＩＳ  Ｚ  ８８０１の標準篩を用いて５分間振動させた後、篩目のサイズによる質量分率から求める平均粒径が、１５０〜１０００μｍであることが好ましく、より好ましくは１５０〜８００μｍ、更に好ましくは１８０〜６００μｍである。
【００７２】
本発明の組成物は、利便性の点で、更に圧縮して錠剤形態にしても良いし、１回の使用量を水溶性又は水不溶性の容器に収納することができる。
【００７３】
本発明の組成物は、流動性及び非ケーキング性の点で、粒子形態にした上で、表面被覆剤により表面改質を行うことが好ましい。表面被覆剤は、洗浄剤粒子中、１〜３０質量％が好ましく、２〜１５質量％がより好ましく、５〜１０質量％が更に好ましい。
【００７４】
表面被覆剤としては、例えば、アルミノケイ酸塩、ケイ酸カルシウム、二酸化ケイ素、ベントナイト、タルク、クレイ、非晶質シリカ誘導体、結晶性シリケート化合物等のシリケート化合物、金属石鹸、粉末の界面活性剤等の微粉体、カルボキシメチルセルロース、ポリエチレングリコール、ポリアクリル酸ソーダ、アクリル酸とマレイン酸のコポリマー又はその塩等のポリカルボン酸塩等の水溶性ポリマー；脂肪酸が挙げられる。これらの中でも水不溶性無機物が好ましく、特に結晶性アルミノケイ酸塩、非晶質アルミノケイ酸塩、結晶性シリケート化合物が好ましい。
【００７５】
本発明の組成物は、上記した（ａ）〜（ｄ）成分（必要に応じて各成分ごとに造粒することができる）、及びその他の成分を混合し、必要に応じて造粒して得ることができるが、前記製造過程において、（ｃ）成分と（ｄ）成分を混合し、（ｄ）成分が（ｃ）成分の一部又は全部を包接した包接体を得た後、更に前記包接体と（ａ）成分及び（ｂ）成分と混合する工程を具備させることが好ましい。
【実施例】
【００７６】
（１）粉末漂白洗浄剤組成物の製造
固形分５０質量％のスラリーを、熱風温度２５０℃で噴霧乾燥し、以下のベース顆粒を得た。次に、ベース顆粒に界面活性剤混合液を担持させ、更に表面改質を行い以下の洗剤ベースを得た。
【００７７】
次に、（ｃ）成分Ｉ、IIの０．１％(w/v)水溶液を調製し、ここに（ｄ）成分であるα−シクロデキストリンを表１記載の質量比率になるよう溶解させた。溶解後、本水溶液を凍結乾燥させることによって粉末状のシクロデキストリン混合物（（ｃ）及び（ｄ）成分の混合物）を調製した。
【００７８】
次に、表１に記載の配合量に従って、（ａ）成分を含む洗剤ベース、（ｂ）成分、（ｃ）及び（ｄ）成分の混合物を混合し、粉末漂白洗浄剤組成物を得た。
【００７９】
＜ベース顆粒＞
組成は、ポリアクリル酸ナトリウム（重量平均分子量１００００）７質量％、炭酸ナトリウム２６質量％、硫酸ナトリウム２０質量％、塩化ナトリウム６質量％、蛍光染料０.５質量％、ゼオライト４０質量％、水０.５質量％である。蛍光染料としてはチノパールＣＢＳ−Ｘ（チバガイギー社製）を用いた。ゼオライトとしては４Ａ型ゼオライト（東ソー（株）製）を用いた。
【００８０】
＜洗剤ベース＞
レディゲミキサー（松阪技研（株）製、容量２０Ｌ、ジャケット付き）に、ベース顆粒Ｉを１００質量部投入し、主軸（１５０ｒｐｍ）の攪拌下、非イオン界面活性剤（ＡＥ）２０質量部、直鎖アルキル（炭素数１０〜１３）ベンゼンスルホン酸塩ナトリウム（ＬＡＳ）２２質量部、脂肪酸（炭素数１４〜１８）ナトリウム４質量部、ポリエチレングリコール（重量平均分子量８５００）２質量部、水４質量部の混合液を、３分間で投入し、その後５分間攪拌を行った。更に、このミキサーに結晶性ケイ酸ナトリウム２０質量部とゼオライト１０質量部を投入し、表面被覆を行った。なお、非イオン界面活性剤は、アルキル基の炭素数１２〜１６、ＥＯｐ６．０のポリオキシエチレンアルキルエーテルを用いた。結晶性ケイ酸ナトリウムは粉末ＳＫＳ−６（ヘキストトクヤマ（株）製）を用いた。
【００８１】
得られた洗剤ベースは、嵩密度８１０ｇ／Ｌ、平均粒径２７０μｍ、粒径１７７〜３５０μｍの粒子の比率５５質量％であり、水に溶解する過程で粒子径の１／３以上の気泡を粒子内部より放出した。また、平衡相対湿度は２５％（４０℃）であった。
【００８２】
＜（ｂ）成分含有粒子＞
炭酸ナトリウム・過酸化水素付加物（特開２０００-２５６６９９号公報の段落００１９記載の漂白剤粒子）
＜（ｃ）成分Ｉ＞
ラウロイルオキシベンゼンスルホン酸ナトリウム
＜（ｃ）成分II＞
デカノイルオキシ安息香酸
（２）漂白洗浄力試験
（１）で調製した組成物０．６７ｇを１リットルのイオン交換水に溶解させ、６ｃｍ×６ｃｍのカレー汚染布を５枚入れ、ターゴトメーターにて１００ｒｐｍで洗浄した。洗浄時間は１０分、水温２０℃、すすぎは水道水にて５分間行った。
【００８３】
カレー汚染布は、市販のレトルトパック入りカレー２００ｇから粗い目の篩を用いて具を取り除いた後、イオン交換水100ｇを加え、攪拌混合したものを木綿布に塗布することで調製した。６ｃｍ×６ｃｍの布１枚あたりに０．４ｇのカレーを均一になるように塗布した。
【００８４】
漂白洗浄力は、汚染前の原布及び洗浄前後の汚染布の４６０nmにおける反射率を自記色彩計（島津製作所製）にて測定し、次式に従って漂白洗浄率（％）を求め、５枚の測定平均値を漂白洗浄力として示した。結果を表１に示す。
【００８５】
漂白洗浄率（％）＝［（洗浄後の反射率−洗浄前の反射率）／（原布の反射率−洗浄前の反射率）］×１００
【００８６】
【表１】
2004211075.tif 000005
【００８７】
実施例１〜５と比較例２、３との漂白洗浄率との差は、実施例では、（ｃ）成分と（ｄ）成分が包接体を形成しているため、洗剤ベース中に含まれる（ａ）成分である非イオン界面活性剤のミセルによる有機過酸生成阻害が抑制されたことに対して、比較例２、３では、包接体を形成していないためであると考えられる。